(57)【要約】  皮膚から離れる方向での排泄物の分離及び／又は隔離のための、横断方向分離シートを有する、小児用おむつ、トレーニングパンツ、及び成人失禁用物品などを含めた、おむつであって、そのおむつのトップシート及び弾性カフへの横断方向分離シートの取り付けの、特定設計を有するおむつ。
2016504169.tif 000002
【特許請求の範囲】
【請求項１】
長手方向中心線（Ｙ）と、前記長手方向中心線（Ｙ）に垂直な横方向中心線（Ｘ）とを有する、小児用又は成人用おむつ（１）であって、前記おむつ（１）は、トップシート（２０）と、バックシート（２１）と、それらの間に位置決めされた吸収性コア（２２）と、前記トップシート（２０）の長手方向両側に位置決めされた、長手方向に延びて対向する第１及び第２の弾性カフ（３０ａ、３０ｂ）とを備え、前記おむつ（１）は、前側領域（Ａ）と後側領域（Ｃ）との間に位置決めされたクロッチ領域（Ｂ）を有し、前記おむつ（１）は、分離シート材料（１５）で作製された横断方向分離シート（１０）を備え、前記横断方向分離シート（１０）が、横断方向に延びる上縁部（１１）及び上縁部部分（１６）と、対向する横断方向に延びる底縁部（１２）及び底縁部部分（１７）とを有し、
−前記上縁部部分（１６）の部分が、前記おむつ（１）の前記クロッチ領域（Ｂ）又は前記前側領域（Ａ）内で、前記第１のカフ（３０ａ）に、前記上縁部部分（１６）の第１の取り付け区域を取り付けるとともに、前記おむつ（１）の前記クロッチ領域（Ｂ）又は前記前側領域（Ａ）内で、前記第２のカフ（３０ｂ）に、前記上縁部部分（１６）の第２の対向する取り付け区域を取り付けることによって、その前記おむつ（１）の前記クロッチ領域（Ｂ）又は前記前側領域（Ａ）内で、前記カフ（３０ａ、３０ｂ）に取り付けられて、第１のカフ取り付け区域（１３ａ）及び第２のカフ取り付け区域（１３ｂ）が形成され、各カフ取り付け区域（１３ａ、１３ｂ）が、前記おむつ（１）の前記長手方向中心線（Ｙ）に向けた内縁部（１３１ａ、１３１ｂ）を有し、
−前記底縁部部分（１７）の部分又は全てが、１つ以上のトップシート取り付け区域（１４）で、前記トップシート（２０）に取り付けられ、
前記第１のカフ取り付け区域（１３ａ）が、投影結合測定試験方法に従って測定される、第１の投影結合長さ（Ｄ４ａ）を有し、前記第２のカフ取り付け区域（１３ｂ）が、投影結合測定試験方法に従って測定される、第２の投影結合長さ（Ｄ４ｂ）を有し、前記第１の投影結合長さ（Ｄ４ａ）と前記第２の投影結合長さ（Ｄ４ｂ）との平均が、前記おむつ（１）の平坦状態で、前記おむつ（１）の前記クロッチ領域（Ｂ）の長手方向寸法の約１％〜約２０％、好ましくは約２％〜約１５％である、小児用又は成人用おむつ（１）。
【請求項２】
前記第１及び第２の弾性カフ（３０ａ、３０ｂ）のそれぞれが、長手方向に延びる遠位縁部（３０１ａ、３０１ｂ）を有し、前記第１の弾性カフの前記長手方向に延びる遠位縁部（３０１ａ）と前記第１のカフ取り付け区域の前記内縁部（１３１ａ）との間の最小横断方向寸法、及び／又は、前記第２の弾性カフの前記長手方向に延びる遠位縁部（３０１ｂ）と前記第２のカフ取り付け区域の前記内縁部（１３１ｂ）との間の最小横断方向寸法が、０〜約１５ｍｍである、請求項１に記載のおむつ（１）。
【請求項３】
前記第１及び第２のカフ取り付け区域（１３ａ、１３ｂ）が、前記おむつ（１）の平坦状態で、前記おむつ（１）の前記長手方向中心線（Ｙ）における互いの鏡像である、請求項１又は２に記載のおむつ（１）。
【請求項４】
前記第１及び／又は第２のカフ取り付け区域の前記内縁部（１３１ａ、１３１ｂ）が、前記おむつ（１）の平坦状態で、前記おむつ（１）の前記長手方向中心線（Ｙ）に平行な長手方向線と、０°超の角度αａ、αｂを形成する、請求項１〜３のいずれか一項に記載のおむつ（１）。
【請求項５】
前記第１及び第２のカフ取り付け区域（１３ａ、１３ｂ）の対向する前記内縁部（１３１ａ、１３１ｂ）間の、前記分離シート（１０）の弛緩状態での、１つの分離シートの最小横断方向寸法Ｄ５が、前記第１及び第２のカフ取り付け区域（１３ａ、１３ｂ）の対向する前記内縁部（１３１ａ、１３１ｂ）間の、前記分離シート（１０）の弛緩状態での、１つの分離シートの最大横断方向寸法Ｄ６よりも、前記分離シート（１０）の前記上縁部（１１）に近い、請求項１〜４のいずれか一項に記載のおむつ（１）。
【請求項６】
前記第１及び第２のカフ取り付け区域（１３ａ、１３ｂ）が、矩形形状を有する、請求項１〜５のいずれか一項に記載のおむつ（１）。
【請求項７】
前記１つ以上のトップシート取り付け区域（１４）のそれぞれが、前記おむつ（１）の前記クロッチ領域（Ｂ）の前記長手方向寸法の約１％〜約１０％、好ましくは約１％〜約６％の、最大長手方向寸法を有する、請求項１〜６のいずれか一項に記載のおむつ（１）。
【請求項８】
前記トップシート取り付け区域（１４）のうちの少なくとも１つの結合パターン密度が、約２０％超である、請求項１〜７のいずれか一項に記載のおむつ（１）。
【請求項９】
前記トップシート（２０）が有孔トップシートであり、前記１つ以上のトップシート取り付け区域（１４）のそれぞれが、１つ以上の個別の結合部を含み、
ａ．前記トップシート取り付け区域（１４）のうちの少なくとも１つが、トップシート有効孔サイズ及び百分率開口面積の測定試験方法に従って測定される、前記トップシート（２０）の百分率開口面積よりも高い、結合パターン密度を有し、及び／又は
ｂ．前記トップシート取り付け区域（１４）のうちの少なくとも１つの、前記個別の結合部のうちの少なくとも１つが、前記トップシート（２０）の有効孔のうちの少なくとも１つよりも、大きいサイズを有し得るものであり、及び／又は
ｃ．前記トップシート取り付け区域によって含まれる前記個別の結合部が、前記トップシート（２０）の前記有効孔と同じサイズ、又はより小さいサイズを有する場合には、前記トップシート取り付け区域（１４）のうちの少なくとも１つの前記結合パターンが、前記トップシート（２０）の有効孔パターンと重なり合わない、請求項１〜８のいずれか一項に記載のおむつ（１）。
【請求項１０】
前記１つ以上のトップシート取り付け区域が、１つの中央トップシート取り付け区域（１４ａ）と、前記中央トップシート取り付け区域（１４ａ）の両側の、２つの側方トップシート取り付け区域（１４ｂ、１４ｃ）とを含む、請求項１〜９のいずれか一項に記載のおむつ（１）。
【請求項１１】
前記１つ以上のトップシート取り付け区域（１４）の最大横断方向寸法（Ｄ７）が、前記おむつ（１）の平坦状態で、前記おむつ（１）の前記長手方向中心線（Ｙ）を中心とする、請求項１〜１０のいずれか一項に記載のおむつ（１）。
【請求項１２】
前記第１及び第２の弾性カフ（３０ａ、３０ｂ）のそれぞれが、長手方向に延びる遠位縁部（３０１ａ、３０１ｂ）を有し、前記１つ以上のトップシート取り付け区域（１４）の前記最大横断方向寸法（Ｄ７）が、前記おむつ（１）の平坦状態で、前記第１及び第２の弾性カフの前記長手方向に延びる遠位縁部（３０１ａ、３０１ｂ）間の最小横断方向寸法（Ｄ８）の範囲内に含まれる、請求項１〜１１のいずれか一項に記載のおむつ（１）。
【請求項１３】
前記１つ以上のトップシート取り付け区域（１４）の前記最大横断方向寸法（Ｄ７）が、前記おむつ（１）の平坦状態で、前記第１及び第２の弾性カフの前記長手方向に延びる遠位縁部（３０１ａ、３０１ｂ）間の前記最小横断方向寸法（Ｄ８）の約５０％〜約９８％である、請求項１２に記載のおむつ（１）。
【請求項１４】
前記第１及び第２のカフ取り付け区域（１３ａ、１３ｂ）の対向する前記内縁部（１３１ａ、１３１ｂ）間の、前記分離シート（１０）の弛緩状態での、前記分離シートの最小横断方向寸法が、少なくとも約２０ｍｍであり、前記分離シートの前記上縁部（１１）と前記底縁部（１２）との間の、前記分離シート（１０）の弛緩状態での、前記分離シートの最小長手方向寸法が、少なくとも３０ｍｍであり、前記横断方向分離シート（１０）が、プロセス時２サイクルヒステリシス試験に従って測定される際に、少なくとも約０．８の歪みまで、横断方向で弾性的に延伸可能である、請求項１〜１３のいずれか一項に記載のおむつ（１）。
【請求項１５】
前記分離シート材料が、弾性フィルム、若しくは不織布シート材料、若しくは弾性フィルムと不織布シート材料との積層体であるか、又はそれらを備え、あるいは、１つ以上の弾性バンド又は弾性ストランドを備える、請求項１〜１４のいずれか一項に記載のおむつ（１）。
【発明の詳細な説明】
【技術分野】
【０００１】
本発明は、皮膚から離れる方向での排泄物の分離及び／又は隔離のための、特定の横断方向分離シートを有する、小児用おむつ、トレーニングパンツ、及び成人失禁用物品などを含めた、おむつを目的とする。
【背景技術】
【０００２】
おむつからの糞便及び尿の漏出を低減するため、糞便による生殖器又は他の皮膚の汚れを低減するため、あるいは尿と糞便との混合を低減するため、更には皮膚の炎症のリスクを低減するための構成要素を有する、幾つかのおむつのタイプが提案されている。例えば、収集された糞便及び尿のための空隙スペースへの通路を提供する、開口部を有するトップシートを備えたおむつが提案されており、また、尿及び糞便を別個の区域内に受容するための、２つの開口部を備えたおむつも提案されており、また、おむつの中心に配置された、横断方向に位置決めされる３次元弾力性バリア壁又は仕切りを備えることにより、その壁又は仕切りの両側に、それぞれ糞便及び尿を受容し、その分離帯を越えて糞便が物品の前側に移行することを回避するおむつ、あるいは上記の解決策の組み合わせも提案されている。長手方向の伸縮性部分と、仕切りを有する横断方向部分とを備える、そのようなトップシート構造体の例は、例えば、米国特許第７９１８８３８号で説明されているが、しかしながら、そのような大きい構造体は、製品のコストを著しく増大させる恐れがある。更には、中央の仕切り部分が過度に大きい場合には、おむつの配置を誤った際に、糞便又は尿がこの部分で受容されるリスクが存在する。
【０００３】
より簡易な横断方向に位置決めされる仕切りは、例えば、欧州特許第６７４４９９号で説明されており、この特許は、おむつの長手方向カフ及びトップシートに取り付けられた、横断方向分離シートを説明している。しかしながら、本発明者らは、そのような横断方向分離シートの、カフ及びトップシートの双方に対する取り付け区域の設計が、そのような横断方向分離シートを備えるおむつの快適性、フィット、及び吸収特性に悪影響を及ぼす恐れがあることを見出した。
【先行技術文献】
【特許文献】
【０００４】
【特許文献１】米国特許第７９１８８３８号
【特許文献２】欧州特許第６７４４９９号
【発明の概要】
【発明が解決しようとする課題】
【０００５】
それゆえ、本発明は、おむつの快適性、フィット、及び吸収特性に対する影響が限定的な、カフ取り付け区域及びトップシート取り付け区域の双方に関する特定設計を有する、おむつを提供する。
【課題を解決するための手段】
【０００６】
本発明は、長手方向中心線と、その長手方向中心線に垂直な横方向中心線とを有する、小児用又は成人用おむつに関する。このおむつは、トップシートと、バックシートと、それらの間に位置決めされた吸収性コアと、トップシートの長手方向両側に位置決めされた、長手方向に延びて対向する第１及び第２の弾性カフとを備える。このおむつは、前側領域と後側領域との間に位置決めされたクロッチ領域を有する。このおむつは、分離シート材料で作製された横断方向分離シートを備える。この横断方向分離シートは、横断方向に延びる上縁部及び上縁部部分と、対向する横断方向に延びる底縁部及び底縁部部分とを有する。上縁部部分の部分は、おむつのクロッチ領域又は前側領域内で、第１のカフに、上縁部部分の第１の取り付け区域を取り付けるとともに、おむつのクロッチ領域又は前側領域内で、第２のカフに、上縁部部分の第２の対向する取り付け区域を取り付けることによって、そのおむつのクロッチ領域又は前側領域内で、カフに取り付けられて、第１のカフ取り付け区域及び第２のカフ取り付け区域が形成される。各カフ取り付け区域は、おむつの長手方向中心線に向けた内縁部を有する。底縁部部分の部分又は全ては、１つ以上のトップシート取り付け区域で、トップシートに取り付けられる。第１のカフ取り付け区域は、投影結合測定試験方法に従って測定される、第１の投影結合長さを有し、第２のカフ取り付け区域は、投影結合測定試験方法に従って測定される、第２の投影結合長さを有する。第１の投影結合長さと第２の投影結合長さとの平均は、おむつ（１）のクロッチ領域（Ｂ）の長手方向寸法の１％〜２０％、又は２％〜１５％である。
【図面の簡単な説明】
【０００７】
【図１】平坦状態の、本発明の一実施形態によるおむつの平面図である。
【図２】図１のおむつの斜視図である。
【図３】平坦状態の、本発明の別の実施形態によるおむつの平面図である。
【図４】図３のおむつの斜視図である。
【図５】切断線２−２で取った、図２のおむつの断面図である。
【図６】カフ取り付け区域の投影結合長さを測定する方法を示す、図１の横断方向分離シートの平面図である。
【図７】カフ取り付け区域の投影結合長さを測定する方法を示す、図３の横断方向分離シートの平面図である。
【図８】カフ取り付け区域が、おむつの平坦状態で、おむつの長手方向中心線における互いの鏡像ではない場合の、カフ取り付け区域の投影結合長さを測定する方法を示す、本発明の別の実施形態による横断方向分離シートの平面図である。
【発明を実施するための形態】
【０００８】
「おむつ」とは、本明細書では、着用者の下部胴体の周囲に配置される吸収性物品を指すために使用され、小児（乳幼児及び幼児）用おむつ及び成人用おむつを包含し、いわゆる、下部胴体の周囲で締結される締結具を有するおむつ、及びパンツ型おむつを包含する。
【０００９】
「前側領域」（Ａ）及び「後側領域」（Ｃ）とは、本明細書では、使用時に、それぞれ着用者の前面及び着用者の背面に最も近い、おむつの２つの領域を指すために使用され、それぞれが、おむつの横断方向寸法にわたり、それぞれが、おむつの長手方向寸法の３分の１の長手方向寸法を有する。
【００１０】
「クロッチ領域」とは、本明細書では、前側領域と後側領域との間に位置決めされ、同じく、おむつの長手方向寸法の３分の１の長手方向寸法を有する、おむつの領域を指すために使用される。
【００１１】
おむつの前縁部及び／又は後縁部が、おむつの横断方向中心線（Ｘ）に平行に延びる直線として構成されない実施形態に関しては、おむつの長手方向寸法は、おむつの横断方向中心線（Ｘ）に平行に延び、おむつの横断方向中心線（Ｘ）に最も近い、おむつの前縁部の点を通過する横断線と、おむつの横断方向中心線（Ｘ）に平行に延び、おむつの横断方向中心線（Ｘ）に最も近い、おむつの後縁部の点を通過する横断線との間で測定される、長手方向寸法に相当する。そのような実施形態に関しては、前側領域又は後側領域の長手方向寸法は、それぞれ、おむつの横断方向中心線（Ｘ）に平行に延び、おむつの横断方向中心線（Ｘ）に最も近い、おむつの前縁部の点を通過する横断線から、又は、おむつの横断方向中心線（Ｘ）に平行に延び、おむつの横断方向中心線（Ｘ）に最も近い、おむつの後縁部の点を通過する横断線から、測定が開始される。
【００１２】
「長手方向」とは、本明細書では、おむつ又はトップシートの長手方向中心線（Ｙ）に、実質的に平行又は厳密に平行に延びている方向を指すために使用され、プロセスの機械方向（ＭＤ）とすることができる。
【００１３】
「横方向」又は「横断方向」とは、本明細書では、おむつ又はトップシートの長手方向中心線（Ｙ）に、実質的に垂直又は厳密に垂直な方向を指すために使用され、プロセスの機械横方向（ＣＤ）とすることができる。
【００１４】
「Ｚ方向」とは、本明細書では、長手方向に垂直かつ横断方向若しくは横方向に垂直な方向を指すために使用される。
【００１５】
「長手方向寸法」、「横断方向寸法」、又は「Ｚ寸法」とは、本明細書では、おむつ、又はその要素、例えば、おむつの弾性カフ、又はトップシート、又は横断方向分離シート、又は横断方向分離シート材料若しくは領域の、それぞれ、長手方向、横断方向、又はＺ方向で測定される、おむつ、又はその要素、例えば、おむつの弾性カフ、又はトップシート、又は横断方向分離シート、又は横断方向分離シート材料若しくは領域の寸法を指すために使用される。
【００１６】
「実質的に垂直」又は「実質的に平行」とは、本明細書では、特に記述又は指定のない限り、厳密に垂直又は平行な方向から、３０°又は２０°又は１０°又は５°の範囲内の方向を指すために使用される。
【００１７】
本明細書で使用するとき、「沿って」とは、「少なくとも部分的に、実質的に平行かつ隣接している」ことを意味する。
【００１８】
「上縁部」又は「上縁部部分」とは、本明細書では、それぞれ、おむつ１が着用者に適用される際に着用者の身体と接触する、分離シート１０若しくは分離シート材料の、横断方向に延びる縁部、又は横断方向に延びる縁部部分を指すために使用される。
【００１９】
「底縁部」又は「底縁部部分」とは、本明細書では、それぞれ、おむつ１が着用者に適用される際に（上縁部又は上縁部部分と比較して）着用者の身体からより遠く離れている、分離シート１０若しくは分離シート材料１５の、横断方向に延びる縁部、又は横断方向に延びる縁部部分を指すために使用される。
【００２０】
「弛緩した」若しくは「弛緩状態」、又は「収縮した」若しくは「収縮状態」とは、本明細書では、おむつ又は分離シート若しくは分離シート材料に、それぞれ力が加えられていない、おむつ又は分離シート若しくは分離シート材料の状態を指すために使用される。
【００２１】
「平坦状態」とは、本明細書では、おむつが平らな水平面上に平坦に広げて配置された場合の、おむつの状態を指すために使用される。
【００２２】
「遠位縁部」とは、本明細書では、弾性カフの長手方向に延びる縁部であって、使用時に、同じ弾性カフの長手方向に延びる他の縁部よりも、着用者の身体に近い縁部を指すために使用される。
【００２３】
「１つ以上のトップシート取り付け区域の最大横断方向寸法」とは、本明細書では、おむつ１の平坦状態での、２つ以上のトップシート取り付け区域が存在する場合の、２つの取り付け区域間の間隙を含めた、互いに最も遠く離れたトップシート取り付け区域の２つの点の間で測定される、トップシート取り付け区域の横断方向寸法を指すために使用される。
【００２４】
「第１及び第２の弾性カフの長手方向に延びる遠位縁部間の最小横断方向寸法」とは、本明細書では、第１及び第２のカフ取り付け区域が、第１及び第２の弾性カフから取り外された、おむつの平坦状態での、第１及び第２の弾性カフの長手方向に延びる遠位縁部間で測定される、最小横断方向寸法を指すために使用される。
【００２５】
「歪み」とは、本明細書では、本出願の試験方法のセクションで以降に定義される、工学歪みを指すために使用される。
【００２６】
「有孔トップシート」とは、本明細書では、少なくとも１つの有効孔を備える、トップシートを指すために使用される。
【００２７】
「有効孔」とは、本明細書では、トップシート有効孔サイズ及び百分率開口面積の測定試験方法で説明される、画像取得パラメータの下での、０〜２５５の標準グレーレベルスケール上で１８以下のグレーレベルを有する、トップシートを貫通するあらゆる穴を指すために使用される。
【００２８】
「有効孔パターン密度」とは、本明細書では、有効孔で覆われる、有孔トップシートの表面積の百分率を指すために使用される。
【００２９】
「結合パターン密度」とは、本明細書では、カフ取り付け区域又はトップシート取り付け区域によって含まれる、１つ以上の個別の結合部で覆われた、カフ取り付け区域又はトップシート取り付け区域の表面積の百分率を指すために使用される。
【００３０】
本発明によるおむつ１は、長手方向中心線Ｙと、その長手方向中心線Ｙに垂直な横方向中心線Ｘとを有する。おむつ１は、トップシート２０、バックシート２１、及びそれらの間に位置決めされた吸収性コア２２を備える。おむつ１は、トップシート２０の長手方向両側に位置決めされた、長手方向に延びる一対の対向する弾性カフ３０ａ、３０ｂを更に備える。おむつ１は、前側領域Ａと後側領域Ｃとの間に位置決めされたクロッチ領域Ｂを有する。
【００３１】
おむつ１は、例えば図１〜８に示すように、分離シート材料１５で作製された横断方向分離シート１０を備える。
【００３２】
横断方向分離シート
本明細書の横断方向分離シート１０は、一対の対向する弾性カフ３０ａ、３０ｂ及びトップシート２０に取り付けられる、個別シートである。カフ３０ａ、３０ｂ又はトップシート２０への取り付けの前の分離シート１０は、本明細書では、分離シート材料１５と称される。分離シート材料１５は、分離シート材料ウェブから切り出すことができる。
【００３３】
分離シート１０は、おむつ１の前側領域Ａ及び／又はクロッチ領域Ｂ内に存在し得るものであり、おむつ１の前側領域Ａ内に存在する場合には、おむつ１の前側領域Ａの後半分内で、クロッチ領域Ｂに極めて近接して存在する。例えば、トップシート取り付け区域１４と、トップシート２０又はおむつ１の前縁部１Ｆとの間の最小距離は、それぞれ、トップシート２０又はおむつ１の平均長手方向寸法（平均長さ）の、２０％又は２５％又は３０％〜６０％又は〜５０％又は〜４０％とすることができる。
【００３４】
分離シート１０及び分離シート材料１５は、上縁部１１及び上縁部部分１６、並びに底縁部１２及び底縁部部分１７と本明細書では称される、横断方向に延びる第１並びに第２の対向する縁部及び縁部部分を有する。上縁部１１及び底縁部１２は、分離シート１０又は分離シート材料１５の２つの対向する側縁部によって、互いに接続される。分離シート材料１５の底縁部１２に上縁部１１を接続する、分離シート材料１５の２つの対向する側縁部は、分離シート材料１５が、平らな水平面上に弛緩した収縮状態で平坦に広げて配置される場合に、その分離シート材料の上縁部１１に実質的に垂直なものであり得る点を理解されたい。また、分離シート１０の底縁部１２に上縁部１１を接続する、分離シート１０の２つの対向する側縁部の一部の部分は、使用時に、Ｚ方向の向きを有し得る点も理解されたい。
【００３５】
分離シート材料１５は、弛緩した収縮状態で平らな水平面上に平坦に広げて配置される場合に、分離シート１０の弛緩状態での分離シートの長手方向寸法（長さ）とも称される、長手方向寸法（長さ）を有し得るものであり、また分離シート材料１５は、弛緩した収縮状態で平らな水平面上に平坦に広げて配置される場合に、分離シート１０の弛緩状態での分離シートの横断方向寸法（幅）とも称される、横断方向寸法（幅）を有し得る。分離シート１０又は分離シート材料１５の幅は、それぞれ、分離シート１０又は分離シート材料１５の長さよりも長いものであり得る点を理解されたい。
【００３６】
分離シート１０は、３．０ｃｍ〜、又は４．０ｃｍ〜、又は５．０ｃｍ〜、例えば〜１５．０ｃｍ、又は〜１０．０ｃｍ、又は〜８．０ｃｍ、又は〜７．０ｃｍ、又は〜６．０ｃｍ、又は〜５．１ｃｍの、分離シート１０の上縁部１１と底縁部１２との間の、分離シート１０の弛緩状態での最小長手方向寸法を有し得る。
【００３７】
分離シート１０は、少なくとも２．５ｃｍ、又は少なくとも４．０ｃｍ、又は少なくとも５．０ｃｍ〜１２．０ｃｍ未満、又は１０．０ｃｍ未満の、分離シート１０の弛緩状態での平均横断方向寸法を有し得る。
【００３８】
弾性カフへの分離シートの取り付け
分離シート１０の上縁部部分１６の部分は、弾性カフ３０ａ、３０ｂに、そのおむつ１のクロッチ領域Ｂ又は前側領域Ａ内で取り付けられる。第１のカフ取り付け区域１３ａ及び第２のカフ取り付け区域１３ｂは、それぞれ、おむつ１のクロッチ領域Ｂ又は前側領域Ａ内で、第１のカフ３０ａに、上縁部部分１６の第１の取り付け区域を取り付けるとともに、おむつ１のクロッチ領域Ｂ又は前側領域Ａ内で、第２のカフ３０ｂに、上縁部部分１６の第２の対向する取り付け区域を取り付けることによって、形成される。第１及び第２のカフ取り付け区域１３ａ、１３ｂのそれぞれは、トップシート２０又はおむつ１の長手方向中心線Ｙに最も近い、取り付け区域１３ａ、１３ｂの縁部である、内側取り付け区域縁部１３１ａ、１３１ｂを有する。それゆえ、カフ３０ａ、３０ｂのいずれにも取り付けられない、上縁部部分１６の（中央）部分が存在する。分離シート１０の弛緩した収縮状態での、分離シート１０のこの（中央）部分の最小横断方向寸法、すなわち、対向する内側取り付け区域縁部１３１ａ、１３１ｂ間で測定される、分離シート１０の弛緩状態での、分離シート１０の分離シートの最小横断方向寸法は、少なくとも２０ｍｍ、又は少なくとも３０ｍｍとすることができる。この寸法は、最大６０ｍｍ、又は最大５５ｍｍ、又は最大５０ｍｍ、又は最大４５ｍｍとすることができる。
【００３９】
第１のカフ取り付け区域１３ａは、投影結合測定試験方法に従って測定される、第１の投影結合長さＤ４ａを有し、第２のカフ取り付け区域１３ｂは、投影結合測定試験方法に従って測定される、第２の投影結合長さＤ４ｂを有する。第１及び第２の投影結合長さＤ４ａ、Ｄ４ｂの平均は、おむつ（１）のクロッチ領域（Ｂ）の長手方向寸法の１％〜２０％、又は２％〜１５％とすることができる。第１及び第２の投影結合長さＤ４ａ、Ｄ４ｂの平均は、３ｍｍ〜２５ｍｍ、又は５ｍｍ〜１５ｍｍとすることができる。このことは、おむつが着用者に適用される際に、着用者の身体と接触する上縁部部分１６が、着用者の皮膚上に圧迫痕を作り出すことがないほど十分に長いものであるが、過度に長いものではないことにより、おむつ１の吸収特性を低減する可能性が極めて高くなるような、排尿点及び／又は肛門点の被覆が回避されることを確実にする。
【００４０】
第１及び第２の弾性カフ３０ａ、３０ｂのそれぞれは、長手方向に延びる遠位縁部３０１ａ、３０１ｂを有する。第１の弾性カフの長手方向に延びる遠位縁部３０１ａと、第１のカフ取り付け区域の内側取り付け区域縁部１３１ａとの間の最小横断方向寸法、及び／又は、第２の弾性カフの長手方向に延びる遠位縁部３０１ｂと、第２のカフ取り付け区域の内側取り付け区域縁部１３１ｂとの間の最小横断方向寸法は、０〜１５ｍｍ、又は０〜５ｍｍである。そのような構成は、おむつ１が身体滲出物で充填される場合の、横断方向分離シート１０の上方への糞便の移行のリスクを低減するために、特に有利である。
【００４１】
第１及び第２のカフ取り付け区域１３ａ、１３ｂは、例えば図１〜８に示すように、おむつ１の平坦状態で、おむつ１の長手方向軸線Ｙにおける互いの鏡像とすることができる。
【００４２】
第１及び第２のカフ取り付け区域１３ａ、１３ｂは、任意の形状を有し得る。それらの区域は、例えば図１〜８に示すように、矩形形状を有し得る。それらの区域はまた、円形又は楕円の形状も有し得る。
【００４３】
第１及び／又は第２のカフ取り付け区域の内縁部１３１ａ、１３１ｂは、例えば図１、２、５、及び図６に示すように、おむつ１の平坦状態で、おむつ１の長手方向中心線Ｙに平行に方向付けることができる。
【００４４】
第１及び／又は第２のカフ取り付け区域の内縁部１３１ａ、１３１ｂは、例えば図３、４、７、及び図８に示すように、おむつ１の平坦状態で、おむつ１の長手方向中心線Ｙに平行な長手方向線と、０°超〜９０°未満の、又は１５°〜７０°、又は３０°〜６０°、又は４０°〜５０°の角度αａ、αｂを形成し得る。そのような構成は、第１及び第２のカフ取り付け区域の投影結合長さＤ４ａ、Ｄ４ｂを著しく増大させることなく、より長い、またそれゆえより強固なカフ取り付け区域１３ａ、１３ｂを有する、横断方向分離シート１０を提供することが可能であるため、特に有利である。
【００４５】
非直線状の内縁部１３１ａ、１３１ｂは、そのカフ取り付け区域１３ａ、１３ｂを取り囲むことが可能な最小面積を有する矩形の内縁部が、おむつ１の平坦状態で、それぞれ、おむつ１の長手方向中心線Ｙに平行に方向付けられるか、又は、おむつ１の長手方向中心線Ｙに平行な長手方向線と０°超の角度αａ、αｂを形成する場合には、おむつ１の長手方向中心線Ｙに平行に方向付けられているとして、又は、おむつ１の長手方向中心線Ｙに平行な長手方向線と０°超の角度αａ、αｂを形成しているとして見なされることを理解されたい。円形形状のカフ取り付け区域１３ａ、１３ｂは、おむつ１の平坦状態で、おむつ１の長手方向中心線Ｙに平行であるとして見なされることもまた、理解されたい。
【００４６】
例えば図３に示すように、第１及び第２のカフ取り付け区域１３ａ、１３ｂの対向する内縁部１３１ａ、１３１ｂ間の、分離シート１０の弛緩状態での、１つの分離シートの最小横断方向寸法Ｄ５は、第１及び第２のカフ取り付け区域１３ａ、１３ｂの対向する内縁部１３１ａ、１３１ｂ間の、分離シート１０の弛緩状態での、１つの分離シートの最大横断方向寸法Ｄ６よりも、分離シート１０の上縁部１１に近いものとすることができる。
【００４７】
各カフ取り付け区域１３は、分離シート１０の平均横断方向寸法の３％〜４０％、又は５％〜３５％、又は５％〜２５％の、平均横断方向寸法を有し得る。
【００４８】
弾性カフ３０ａ、３０ｂへの分離シート１０の取り付けは、接着剤結合、加圧結合、超音波結合、又は当該技術分野で既知の任意の他の取り付け手段によって、行うことができる。カフ取り付け区域１３は、１つ以上の個別の結合部を含み得る。そのような個別の結合部は、特定の結合パターンに従って配置構成することができる。
【００４９】
カフ取り付け区域１３が、２つ以上の個別の結合部を含む場合には、それらの結合部は、本明細書では、単一の一体型カフ取り付け区域として見なされることを理解されたい。
【００５０】
第１のカフ取り付け区域１３ａ及び／又は第２のカフ取り付け区域１３ｂの結合パターン密度は、２０％超、又は３０％超、又は４０％超、又は６０％超、最大１００％とすることができる。
【００５１】
トップシートへの分離シートの取り付け
分離シート１０の底縁部部分１７の部分又は全ては、１つ以上のトップシート取り付け区域１４で、トップシート２０に取り付けられる。この取り付けは、おむつ１又はトップシート２０の前側領域Ａ若しくはクロッチ領域Ｂ内とすることができる。
【００５２】
１つ以上のトップシート取り付け区域１４のそれぞれは、おむつ（１）のクロッチ領域（Ｂ）の長手方向寸法の１％〜１０％、又は１％〜６％の、最大長手方向寸法を有し得る。１つ以上のトップシート取り付け区域１４のそれぞれは、１ｍｍ〜１５ｍｍ、又は２ｍｍ〜１０ｍｍの、最大長手方向寸法を有し得る。このことは、分離シート１０の底縁部分１７が過度に長いものではなく、それゆえ、おむつ１の吸収特性を低減する可能性が極めて高くなる恐れがある、トップシートの実質的な部分を覆うことがない点を確実にするため、特に有利である。
【００５３】
トップシート取り付け区域１４は、例えば図１〜８に示すように、１つの中央トップシート取り付け区域１４ａと、その中央トップシート取り付け区域１４ａの両側の、２つの側方トップシート取り付け区域１４ｂ、１４ｃとを含み得る。このことは、分離シート１０が、着用者に対するおむつ１の快適性が低下する程度まで、おむつ１の剛性を増大させることなく、トップシート２０に正確に固定されることを確実にするために、特に有利である。
【００５４】
本明細書で前述したように、第１の弾性カフ３０ａ及び第２の弾性カフ３０ｂのそれぞれは、長手方向に延びる遠位縁部３０１ａ、３０１ｂを有する。１つ以上のトップシート取り付け区域１４の最大横断方向寸法Ｄ７は、例えば図１に示すように、おむつ１の平坦状態で、おむつ１の長手方向中心線Ｙを中心とすることができる。そのような構成は、おむつ１が着用者に適用される際に、排尿及び／又は肛門点を覆う恐れがあるか、あるいは、弾性カフ３０ａ、３０ｂと着用者の皮膚との間に、間隙（使用時条件では身体滲出物の漏出の原因となり得る間隙）を不用意に作り出す恐れがある、使用時の分離シート１０の歪曲を防ぐために役立つ。
【００５５】
１つ以上のトップシート取り付け区域１４の最大横断方向寸法Ｄ７は、例えば図１に示すように、おむつ１の平坦状態で、第１及び第２の弾性カフの長手方向に延びる遠位縁部３０１ａ、３０１ｂ間の最小横断方向寸法Ｄ８の範囲内に含めることができる。１つ以上のトップシート取り付け区域１４の最大横断方向寸法Ｄ７は、おむつ１の平坦状態で、第１及び第２の弾性カフの長手方向に延びる遠位縁部３０１ａ、３０１ｂ間の最小横断方向寸法Ｄ８の５０％〜９８％、又は６０％〜９５％とすることができる。それゆえ、そのような構成では、トップシート取り付け区域１４は、第１の弾性カフ３０ａと第２の弾性カフ３０ｂとの間に完全に含まれる。このことは、おむつ１の製造中に、分離シート１０がトップシート２０に取り付けられる際、弾性カフの遠位縁部３０１ａ、３０１ｂが、トップシート２０に不用意に取り付けられる恐れがある（このことは、おむつ１が着用者に適用される際に、脚部開口部の周囲での身体滲出物の漏出の原因となり得る）リスクを低減するために、特に有利である。
【００５６】
トップシート取り付け区域１４は、任意の形状を有し得る。それらの区域は、例えば図１〜８に示すように、矩形形状を有し得る。そのような矩形形状のトップシート取り付け区域１４は、おむつ１の平坦状態で、おむつ１の長手方向中心線Ｙに平行に方向付けることができる。それらの区域はまた、円形又は楕円の形状も有し得る。
【００５７】
トップシート２０への分離シート１０の取り付けは、接着剤結合、加圧結合、超音波結合、又は当該技術分野で既知の任意の他の取り付け手段によって、行うことができる。トップシート取り付け区域１４は、１つ以上の個別の結合部を含み得る。そのような個別の結合部は、特定の結合パターンに従って配置構成することができる。
【００５８】
トップシート取り付け区域１４が、２つ以上の個別の結合部を含み、それらの結合部間に３ｍｍ未満の最短距離を有する場合には、それらの結合部は、本明細書では、単一の一体型トップシート取り付け区域として見なされることを理解されたい。
【００５９】
トップシート取り付け区域１４のうちの少なくとも１つ（又は、それぞれ）の結合パターン密度は、２０％超、又は３０％超、又は４０％超、又は６０％超、最大１００％とすることができる。
【００６０】
トップシート２０は、トップシート２０の下の吸収性コア２２に尿が通過することを可能にするための孔を備える、有孔トップシートとすることができる。
【００６１】
トップシート２０が有孔トップシートである実施形態では、１つ以上のトップシート取り付け区域１４のそれぞれは、１つ以上の個別の結合部を含み得るものであり、トップシート取り付け区域１４のうちの少なくとも１つ（又は、それぞれ）は、トップシート有効孔サイズ及び百分率開口面積の測定試験方法に従って測定される、トップシート２０の百分率開口面積よりも高い、結合パターン密度を有する。そのような実施形態では、トップシート取り付け区域１４のうちの少なくとも１つ（又は、それぞれ）の、個別の結合部のうちの少なくとも１つ（又は、５０％以上、若しくはそれぞれ）は、トップシート２０の有効孔のうちの少なくとも１つ（又は、５０％以上、若しくはそれぞれ）よりも、大きいサイズを有し得る。そのような実施形態では、トップシート取り付け区域１４のうちの少なくとも１つ（又は、それぞれ）の結合パターンは、トップシート取り付け区域１４によって含まれる個別の結合部が、トップシート２０の有効孔と同じサイズ、又はより小さいサイズを有する場合には、トップシート２０の有効孔パターンと重なり合わないものとすることができる。これらの構成は、トップシート２０への分離シート１０の良好な固定を確実にするために、特に有利である。
【００６２】
分離シート１０は、第１の面１０１及び第２の面１０２を有する。第１の面１０１を、弾性カフ（３０ａ、３０ｂ）及びトップシート２０の双方に取り付けることができる。あるいは、例えば図１〜５に示すように、第１の面１０１を弾性カフ３０に取り付け、第２の面１０２をトップシート２０に取り付けることもできる。
【００６３】
トップシート取り付け区域は、例えば図１〜５に示すように、カフ取り付け区域１３ａ、１３ｂよりも、おむつ１又はトップシート２０若しくはバックシート２１の、前縁部１Ｆの近くに位置決めすることができる。このことにより、分離シート１０が、おむつ１の前側への糞便の移行を促進する傾斜面を作り出すリスクを、低減することができる。
【００６４】
横断方向分離シート材料
分離シート１０は、少なくとも横断方向で弾性的に延伸可能とすることができ、すなわち、以降で説明されるように、力が加えられると、延伸することが可能であり、その力が解除されると、ほぼその元の幅に収縮することが可能である。分離シート１０の上縁部部分１６のみを、少なくとも横断方向で弾性的に延伸可能とすることができる。
【００６５】
分離シート１０はまた、長手方向にも弾性的に延伸可能とすることができる。
【００６６】
伸縮性のシート材料１５で分離シート１０を作製することにより、分離シート１０を、少なくとも横断方向で弾性的に延伸可能にさせることができる。「伸縮性」とは、本明細書で分離シート１０又は分離シート材料１５に関して（及び、カフ若しくはカフウェブ材料に関しても）使用される場合、弾性材料、例えば１つ以上の弾性バンド又は弾性ストランドが、特定の１区域若しくは特定の複数区域内、すなわち伸縮性区域内のみに提供されている、非弾性シート材料で作製されることを意味する。伸縮性区域の総表面積は、例えば、分離シート１０又は分離シート材料１５の総表面積の５０％未満とすることができる。
【００６７】
分離シート１０あるいは分離シート材料１５の上縁部部分１６及び底縁部部分１７のうちの一方若しくは双方は、非弾性とすることができるシート材料、例えば非弾性の不織布シートに、実質的に横断方向に延びる１つ以上の弾性バンド又は弾性ストランドを適用することによって、伸縮性にすることができる。
【００６８】
分離シート１０は、少なくとも横断方向で弾性的に延伸可能とすることができる。この分離シートは、少なくとも、カフ３０ａ、３０ｂ及びトップシート２０に取り付けられている表面積を除く、その表面積にわたって、横断方向で弾性的に延伸可能とすることができる。
【００６９】
分離シート材料１５は、弾性フィルム、又は不織布シート材料、又は弾性フィルムと不織布シート材料との積層体とすることができ、あるいは、それらを含み得る。積層体の不織布シート材料は、着用者の皮膚と接触するように位置決めすることができる。積層体のそのような構成は、弾性フィルムが着用者の皮膚に直接接触する場合よりも、着用者に対して優れた快適性を提供することができる。
【００７０】
この不織布シート材料は、２成分繊維を含めた繊維へと作製され、次いで不織布シートへと作製される、ポリエチレン及び／又はポリプロピレンなどの、当該技術分野で既知のポリオレフィンで作製することができる。この不織布シート材料は、ネック付き不織布とすることができる。この不織布シート材料は、メルトブローン不織布、又はスパンボンド不織布、又はカード不織布とすることができ、それらの積層体とすることができ、例えば、スパンボンド層又はカード層とメルトブローン不織布層との積層体とすることができる。
【００７１】
分離シート材料１５は、少なくとも横断方向の弾性を不織布シート材料に提供する方式で、不織布シート材料に弾性材料を（例えば、実質的に均一に）適用することにより、実質的に均一な弾性挙動を有する、不織布シート材料とすることができ、又は、そのような不織布材料を含み得るものであり、例えば、弾性材料は、不織布シート材料上に、均質に、又は横断方向のストライプなどのパターンで、噴霧するか若しくは押し出すことができる。
【００７２】
分離シート材料１５は、弛緩した収縮状態の平らな水平面上に、弛緩した収縮状態で平坦に広げて配置された場合に、矩形又は正方形のものとすることができる。分離シート材料１５はまた、弛緩した収縮状態の平らな水平面上に、弛緩した収縮状態で平坦に広げて配置された場合に、台形のものとすることができ、分離シート材料１５の上縁部１１及び底縁部１２が、その台形の２つの平行な辺を形成する。
【００７３】
分離シート材料１５は、バリア材料とすることができ、疎水性とすることができ、例えば、親水性であって、かつ当該技術分野で既知のものなどの疎水性表面コーティングで、例えば、１種以上のシリコーンポリマー若しくはフッ素化ポリマーを含むワックス又は疎水性表面コーティングで、疎水性にすることができる。
【００７４】
分離シート１０は、おむつ１を作製するプロセスの間、及び着用者に対しておむつ１を適用する間は、少なくとも横断方向で著しく弾性的に延伸可能であり得るが、使用時条件では（着用中は）、着用者が脚を離れる方向に移動させる場合、及び着用者が脚を一体に移動させる場合の双方で、着用者の皮膚との正しい位置合わせを提供するような、弾性挙動を有する。分離シート１０は、更に好ましくは、おむつ１の後側から前側への糞便の移行を回避するために、Ｚ方向寸法を有する有効な分離帯（バリア）を確実に形成するように、使用時には特定の張力を有するべきである。更には、この張力は、過度に高いものとするべきではなく、さもなければ、分離シート１０が取り付けられているカフ３０ａ、３０ｂは、使用時に、互いに過度に近接して一体に引き寄せられることにより、カフ３０ａ、３０ｂの外側、又はカフ３０ａ、３０ｂ上への、尿若しくは糞便の潜在的な漏出の問題がもたらされる。
【００７５】
分離シート１０は、プロセス時２サイクルヒステリシス試験に従って測定される際に、少なくとも０．８の歪みまで、横断方向で弾性的に延伸可能とすることができる。分離シート１０又は分離シート材料１５は、プロセス時２サイクルヒステリシス試験に従って測定される際に、少なくとも１．２、又は少なくとも１．５、又は少なくとも２．０、又は少なくとも２．５、又は少なくとも３．０、又は少なくとも３．５の歪みまで、横断方向で弾性的に延伸可能とすることができる。このことは、弾性材料を加工処理するために好適な任意の力、典型的には２０Ｎ以下の力、又は典型的には１０Ｎ以下の力で行うことができる。それゆえ、分離シート１０は、高度な延伸を必要とするプロセスで加工処理することができ、ほぼ即座に、ほぼその元の幅に収縮することにより、高速の加工処理が可能となるようなものである。
【００７６】
分離シート１０は、特定の歪み値まで、横断方向で弾性的に延伸可能であると見なされ、プロセス時２サイクルヒステリシス試験に従って、その歪み値まで延伸された後の場合には、プロセス時２サイクルヒステリシス試験に従って測定されるパーセント残留歪みは、３０％以下の残留歪み、又は２０％以下、又は１０％以下の残留歪みであることを理解されたい。そのような低い残留歪みの値を有することは、分離シート材料１５が、おむつ１の加工処理の間に損傷を受けないことを確実にする。
【００７７】
カフ
おむつ１は、分離シート１０（材料１５）が取り付けられる、長手方向に延びる一対の対向する第１の弾性カフ３０ａ及び第２の弾性カフ３０ｂを有する。
【００７８】
分離シート１０が取り付けられるカフ３０ａ、３０ｂのそれぞれは、外側カフ（レッグカフ）及び内側カフ（バリアカフ）を含む、一体型二重カフシートの一部とすることができ、後者の内側カフが、分離シート１０に取り付けられる。
【００７９】
各カフ３０ａ、３０ｂは、おむつ要素、例えばバックシート２１若しくはトップシート２０、又は存在する場合にはレッグカフに接合若しくは取り付けられる、長手方向に延びる近位縁部と、使用時に着用者の皮膚と接触する、長手方向に延びる対向する遠位縁部とを有する。
【００８０】
カフ３０ａ、３０ｂは、バックシート２１の両側にカフ３０ａ、３０ｂを有するように、バックシート２１の長手方向側部に隣接し、かつ長手方向側部に沿って、バックシート２１に取り付けることができる。カフ３０ａ、３０ｂは、トップシート２０の両側にカフ３０ａ、３０ｂを有するように、トップシート２０の長手方向側部に隣接し、かつ長手方向側部に沿って、トップシート２０に取り付けることができる。
【００８１】
カフ３０ａ、３０ｂは、おむつ１の平坦状態で、おむつ１の長手方向中心線Ｙにおける互いの鏡像とすることができる。各カフ３０ａ、３０ｂ及び／又はその近位縁部は、湾曲させることができ、あるいは実質的に直線状にすることもできる。
【００８２】
カフ３０ａ、３０ｂは、一対のカフウェブから作製することができ、各カフウェブは、次いで互いに分離されて個別のカフを形成する、多数のカフを含む。
【００８３】
カフ３０ａ、３０ｂは、例えば、分離シート１０又は分離シート材料１５に関して上述したように、弾性又は伸縮性である。カフ３０ａ、３０ｂは、少なくともその遠位縁部に沿って、又はその遠位縁部に沿ってのみ、伸縮性とすることができる。各カフ３０ａ、３０ｂは、伸張状態で取り付けられた１つ以上の弾性ストランドを有する、シート材料とすることができる。この１つ以上の弾性ストランドは、少なくともカフの遠位縁部３０１ａ、３０１ｂに沿って、延びることができる。
【００８４】
各カフ３０ａ、３０ｂの近位縁部は、吸収性コア２２の、又はバックシート２１の、又はトップシート２０の、長手方向側部に沿って位置決めすることができる。
【００８５】
各カフ３０ａ、３０ｂの近位縁部は、吸収性コア２２全体が、それらのカフの近位縁部間に存在するように、吸収性コア２２の外側に長手方向で位置決めすることができる。
【００８６】
カフ３０ａ、３０ｂは、使用時にＺ方向の向きを有するように、取り付けることができる。
【００８７】
カフの遠位縁部３０１ａ、３０１ｂのそれぞれは、おむつ１、又はトップシート２０若しくはバックシート２１の、後縁部１Ｂ（例えば、ウェストバンド）及び／又は前縁部１Ｆ（例えば、ウェストバンド）内に、例えば図１及び図３に示すように、それぞれ、いわゆる前側タック止め領域３５ａ、３５ｂ及び後側タック止め領域３４ａ、３４ｂ内で、更に取り付けることができる。
【００８８】
第１のカフ３０ａの前側タック止め領域３５ａと、対向する第２のカフ３０ｂの前側タック止め領域３５ｂとの間の横断方向距離は、おむつ１の平坦状態で、カフ遠位縁部３０１ａ、３０１ｂ間の最大横断方向距離と等しくすることができる。この横断方向距離は、少なくとも５．０ｃｍ、又は少なくとも６．０ｃｍ、又は少なくとも７．０ｃｍとすることができる。この横断方向距離は、最大で、おむつ１の平坦状態で、おむつ１のクロッチ領域内で測定される、おむつ１の平均横断方向寸法とすることができる。同じことは、第１のカフ３０ａの後側タック止め領域３４ａと、対向する第２のカフ３０ｂの後側タック止め領域３４ｂとの間の横断方向距離にも適用することができる。
【００８９】
各カフ３０ａ、３０ｂは、９５％又は８０％の延伸歪みまで延伸される場合、少なくとも０．２Ｎ（２０グラム）、かつ最大１．０Ｎ（１００グラム）又は最大０．５Ｎ（５０グラム）の弾性張力を有し得る。
【００９０】
カフ３０ａ、３０ｂ又はカフウェブ材料は、不織布シート材料を含み得る。横断方向分離シート１０を作製するために使用されるものと同じ不織布シート材料を、使用することができる。この不織布シート材料は、例えば、１つ以上のスパンボンド層及び／又はカード層と１つ以上のメルトブローン層とを有する不織布積層体を含めた、当該技術分野で既知のような、液体不透過性の不織布バリアシート材料とすることができる。この不織布シート材料を形成するために使用される繊維は、ポリプロピレン繊維、ポリエチレン繊維、２成分繊維、ナノ繊維、及びこれらの任意の組み合わせから選択することができる。
【００９１】
カフ３０ａ、３０ｂ若しくはそれらの一部、及び／又は分離シート１０若しくはその一部は、当該技術分野で既知のようなスキンケア組成物、例えば、ローションを含み得る。
【００９２】
分離シート１０又は分離シート材料１５を、弛緩した収縮状態で、カフ３０ａ、３０ｂに取り付けることができる。次いで、カフ３０ａ、３０ｂを離間させて広げることにより、分離シート１０又は分離シート材料１５を伸張させることができる。
【００９３】
カフ３０ａ、３０ｂは、例えば、おむつの寸法に応じて、任意の好適な寸法を有し得る。それらのカフは、おむつ１のほぼ全長に延びることができる。それらのカフは、例えば少なくとも３０ｍｍ、又は例えば少なくとも４０ｍｍの、おむつ１の長手方向中心線Ｙに垂直な横断方向寸法を有し得る。
【００９４】
トップシート
おむつ１は、トップシート２０を備える。本明細書のおむつ１のトップシートは、尿が通過することを可能にするものであれば、当該技術分野で既知の任意の好適な材料で作製することができる。この点で、トップシートは、親水性材料、又は親水性とするべく処理された材料を含めた、尿透過性材料で作製することができる。本明細書で前述したように、トップシート２０は、トップシート２０の下の吸収性コア２２に尿が通過することを可能にするための孔を備える、有孔トップシートとすることができる。トップシート２０は、トップシート有効孔サイズ及び百分率開口面積の測定試験方法に従って測定される際に、少なくとも０．２平方ミリメートル又は少なくとも０．３平方ミリメートルの有効孔サイズを有する、孔を備え得る。
【００９５】
トップシートは、親水性又は疎水性のいずれかとすることができる。
【００９６】
分離シート１０又は分離シート材料１５を、弛緩した収縮状態で、カフ３０ａ、３０ｂ及びトップシート２０に取り付けることができる。次いで、カフ３０ａ、３０ｂを離間させて広げることにより、分離シート１０又は分離シート材料１５を伸張させることができるが、カフ３０ａ、３０ｂは、例えば、広げる前に、又は広げる工程の後に、トップシート２０に取り付けることができる。
【００９７】
トップシート２０は、伸縮性材料とすることができ、又は、例えば折り目を備えることによって、延伸可能な材料とすることができる。トップシート２０は、例えば、分離シート１０（又は分離シート材料１５）及び／又はカフ３０ａ、３０ｂへの取り付けの前に、長手方向に延びる１つ以上のＺ折り目を備え得る。トップシート２０が展開されると、そのトップシートは、折り目、例えばＺ折り目をもはや有さないが、依然として、長手方向に延びる折り目線を有し得る。
【００９８】
好ましいトップシート材料は、有孔フィルム、孔形成フィルムなどの、孔を有する積層体及び／又は材料を含めた、不織布材料である。
【００９９】
トップシート２０、又は例えば、そのクロッチ領域及び／又は後側領域のみが、スキンケア組成物、例えばローションを含み得る。
【０１００】
おむつの他の要素
おむつ１はまた、少なくともバックシート２１及び吸収性コア２２も有し、例えば、吸収性コア２２は、例えば、トップシート２０と液体連通する１つ以上の獲得層と、典型的にはコアカバー材料によって封入された、超吸収性ポリマー材料／粒子を少なくとも備える貯蔵層とを含めた、複数の層を備える。
【０１０１】
獲得層は、粉砕木材パルプ、捲縮セルロース塊、コフォームを含めたメルトブローンポリマー、化学的に剛化、変性、又は架橋されたセルロース繊維、ティッシュラップ及びティッシュ積層体を含めたティッシュ、吸収性発泡体、吸収性スポンジなどの、尿又は粘性が低い糞便を獲得することが可能な、任意の獲得材料を含み得る。
【０１０２】
貯蔵層は、上記の材料のうちのいずれかを含み得るが、典型的には、少なくとも超吸収性ポリマー材料／粒子を含み、例えば、この吸収性貯蔵層は、（例えば、コアラップを除く）８０重量％超の超吸収性ポリマー（粒子）材料を含み得るものであり、セルロース（エアフェルト）材料を含み得ない。
【０１０３】
バックシート２１は、当該技術分野で既知のように、液体不透過性とすることができる。液体不透過性バックシート２１は、好ましくは、例えば約０．０１ｍｍ〜約０．０５ｍｍの厚さを有する、熱可塑性フィルムなどの薄いプラスチックフィルムを含む。好適なバックシート材料は、典型的には、おむつ１から蒸気が逃れることを可能にしつつ、バックシート２１を滲出物が通過することを依然として防ぐ、通気性材料を含む。好適なバックシートフィルムとしては、Ｔｒｅｄｅｇａｒ  Ｉｎｄｕｓｔｒｉｅｓ  Ｉｎｃ．（Ｔｅｒｒｅ  Ｈａｕｔｅ，ＩＮ）により製造され、Ｘ１５３０６、Ｘ１０９６２、及びＸ１０９６４の商品名で販売されるものが挙げられる。
【０１０４】
バックシート２１、又はその任意の部分は、１つ以上の方向で、弾性的に伸張可能とすることができる。バックシート２１は、当該技術分野で既知の任意の取り付け手段によって、トップシート２０、吸収性コア２２、又はおむつ１任意の他の要素に取り付けるか、若しくは接合することができる。トップシート２０及びバックシート２１の長手方向側縁部は、互いに直接取り付けられることが、非常に好ましい場合がある。
【０１０５】
おむつ１はまた、身体滲出物、典型的には糞便物質を受容し、及び／又は不動化することが可能な、トップシート２０と吸収性コア２２との間に配置された副層も含み得る。
【０１０６】
本明細書のおむつ１は、当該技術分野で既知のような、典型的にはウェストバンドに接合される、締結システムを有し得る。好ましい締結システムは、締結タブ及びランディング領域を含み、締結タブは、おむつ１の後側領域に取り付けられるか又は接合され、ランディング領域は、おむつ１の前側領域Ａの一部である。
【０１０７】
おむつ１は、締結された側方縁部を有する、パンツ型おむつとすることができる。
【０１０８】
試験方法
投影結合測定試験方法：
この方法は、カフ取り付け区域の投影結合長さを判定する。おむつ１が、平らな水平面上に平坦に広げて配置される。例えば図６、７、及び図８に示すように、おむつ１の長手方向中心線Ｙに平行であり、おむつ１の長手方向中心線Ｙに最も近いカフ取り付け区域１３の点と接触する、第１の長手方向に延びる線Ｌ１を引く。第１の長手方向に延びる線Ｌ１に平行な、第２の長手方向に延びる線Ｌ２を、例えば図６、７、及び図８に示すように、第１の長手方向に延びる線Ｌ１と第２の長手方向に延びる線Ｌ２との間の５ｍｍの距離Ｄ３で、長手方向中心線Ｙから更に離れる方向で引く。例えば図６、７、及び図８に示すように、おむつ１の長手方向中心線Ｙに垂直であり、おむつ１の前縁部１Ｆに最も近いカフ取り付け区域１３の点と接触し、第１の長手方向に延びる線Ｌ１と第２の長手方向に延びる線Ｌ２との間で横方向に含まれる、第１の横方向に延びる線Ｌ３を引く。例えば図６、７、及び図８に示すように、おむつ１の長手方向中心線Ｙに垂直であり、おむつ１の後縁部１Ｂに最も近いカフ取り付け区域１３の点と接触し、第１の長手方向に延びる線Ｌ１と第２の長手方向に延びる線Ｌ２との間で横方向に含まれる、第２の横方向に延びる線Ｌ４を引く。
【０１０９】
第１の横方向に延びる線Ｌ３と第２の横方向に延びる線Ｌ４との間の距離Ｄ４が、カフ取り付け区域１３の投影結合長さに相当する。
【０１１０】
プロセス時２サイクルヒステリシス試験：
機器、及びサンプルの調製：
この試験のための好適な計器としては、ＭＴＳ  Ｓｙｓｔｅｍｓ  Ｃｏｒｐ．（Ｅｄｅｎ  Ｐｒａｉｒｉｅ，Ｍｉｎｎ）より市販の引張試験機（例えば、Ａｌｌｉａｎｃｅ  ＲＴ／１又はＳｉｎｔｅｃｈ  １／Ｓ）、又はＩｎｓｔｒｏｎ  Ｅｎｇｉｎｅｅｒｉｎｇ  Ｃｏｒｐ．（Ｃａｎｔｏｎ，Ｍａｓｓ）若しくはＺｗｉｃｋ／Ｒｏｅｌｌ（Ｋｅｎｎｅｓａｗ，Ｇｅｏｒｇｉａ／Ｕｌｍ，Ｇｅｒｍａｎｙ）より市販の引張試験機が挙げられる。
【０１１１】
この試験機には、上側グリップ及び下側グリップ内に、グリップ面セットが装備され、各セットは、１つのゴムコーティング面（８０Ａのショア硬度）及び１つの接触線面（金属）を有し、ゴムコーティング面内に接触線面を係合させることにより滑りを防ぐ、ネジ機構を備える。上側グリップ及び下側グリップの長さは、試験される試料のクランプ固定長さと少なくとも同じ長さであり、そのグリップ長さは、試料の長さに平行なグリップの寸法である。ロードセルは、測定される最大負荷が、そのロードセルの最大能力の１０〜９０％の範囲内であるように使用される。計器は、製造者の仕様書に従って較正される。
【０１１２】
おむつから試料を得る前に、そのおむつを、少なくとも２４時間、周囲温度（２２℃＋／−５℃）で弛緩状態に保つ。
【０１１３】
分離シート１０を切り出して、おむつ１の長手方向中心線Ｙを中心とする２０ｍｍの横断方向寸法（幅）及び３０ｍｍの長手方向寸法（長さ）を有する、矩形の試料を得るが、横断方向寸法及び長手方向寸法の双方は、試料が平らな水平面上に平坦に広げて配置される場合の、弛緩した収縮状態で測定される。試料の横断方向寸法及び長手方向寸法は、それぞれ、分離シート１０の横断方向寸法及び長手方向寸法に平行に測定される。分離シート１０の上縁部１１に最も近い、この試料の横断方向に延びる縁部は、以降では、その試料の上縁部と称される。この試料の横断方向に延びる反対側の縁部は、以降では、その試料の底縁部と称される。
【０１１４】
弛緩した収縮状態での、上縁部と底縁部との間で、３０ｍｍ超の最小長さを有する分離シート１０に関しては、試料は、分離シート１０の上縁部を含むように切り出される。
【０１１５】
クランプ固定長さ
クランプ固定長さは、弛緩した収縮状態の試料の、その試料の上縁部から開始する、グリップ間にクランプ固定されている長さである。このクランプ固定長さは、第１の投影結合長さＤ４ａと第２の投影結合長さＤ４ｂとの平均に等しい。第１及び第２の投影結合長さＤ４ａ、Ｄ４ｂは、試験試料の切り出しの前に、投影結合測定試験方法に従って測定される。
【０１１６】
試験（詳細は下記）を開始する前に、各試料及び機器は、本明細書のプロセス時２サイクルヒステリシス試験に関して、２２℃（＋／−１℃）で少なくとも１時間、平衡化しなければならない。
【０１１７】
装備品及びグリップの質量を補正するように、計器上の力読取り値をゼロにする。試料は、弛みが存在せず、測定される力が０．００Ｎ〜０．０１Ｎとなる状態で、グリップ内に取り付けられる。データ取得周波数は、１００Ｈｚであり、ヒステリシス試験の全てのセグメントの間に、力、時間、及び工学歪みのデータが取得される。
【０１１８】
試料は、弛緩した収縮状態で、その幅のうちの１０ｍｍがグリップの接触線の間（ゲージ幅）にあり、その幅のうちの５ｍｍが各グリップの接触線の外側にある状態で取り付けられる。クランプ固定長さの試料が、グリップ内にクランプ固定される。残余の長さの試料（試料の長さからクランプ固定長さを差し引いたものに等しいもの）は、グリップから排除される。クランプ固定長さは、上記で指定されている。
【０１１９】
以下では、工学歪みは、ΔＷ／Ｗ０として、ΔＷ＝Ｗｔ−Ｗ０と共に定義され、式中、Ｗ０は初期サンプル幅であり、Ｗｔは時間ｔでのサンプル幅である。
【０１２０】
プロセス時２サイクルヒステリシス試験（２２℃での測定）：
プロセス時２サイクルヒステリシス試験を、以下のように実行する：
１．弛み調節：０．０２Ｎの弛み調節の前負荷力が達成されるまで、１３ｍｍ／分の速度でクロスヘッドを移動させる。０．０２Ｎの弛み調節の前負荷力での、グリップの接触線間の距離は、初期サンプル幅Ｗ０（工学歪み＝０％）に等しい、調節ゲージ幅ＷＧＡｄｊである。
【０１２１】
２．第１サイクル：
試料を、８００ｍｍ／分のクロスヘッド速度で、試験される工学歪みまで延伸する。この工学歪みでは、保持されることがない。次いで、８００ｍｍ／分のクロスヘッド速度で、調節ゲージ幅ＷＧＡｄｊまでクロスヘッドを戻し、この工学歪みで６０秒間保持する。
【０１２２】
３．第２サイクル：
試料を、８００ｍｍ／分のクロスヘッド速度で、第１サイクルでの工学歪みと同じ工学歪みまで延伸する。この工学歪みでは、保持されることがない。次いで、８００ｍｍ／分のクロスヘッド速度で、調節ゲージ幅ＷＧＡｄｊまでクロスヘッドを戻し、この工学歪みで６０秒間保持する。
【０１２３】
おむつの分離シートの各試料を、プロセス時２サイクルヒステリシス試験後の損傷に関して検査する。本発明の分離シート材料は、試験後の損傷を有さないものでなければならない。損傷は、パーセント残留歪みを介して定義される。パーセント残留歪み（％残留歪み）は、０．０６９Ｎ（７重量グラム）の第２サイクル延伸力が測定される場合の、パーセントでの工学歪みとして定義される。パーセント残留歪みが３０％を下回る場合には、その試料は、損傷を受けていないものと見なされ、それゆえ、試験された工学歪みまで弾性的に延伸可能であると見なされる。
【０１２４】
最低５つの試料を測定して、平均試験値を決定するが、平均データは、引張試験機の試験ソフトウェアによって提供される（例えば、Ａｌｌｉａｎｃｅ  ＲＴ１  ＭＴＳ計器は、ＴｅｓｔＷｏｒｋｓ４バージョン４．０８Ｂである）。
【０１２５】
この方法の報告は、測定のために使用される、使用される工学歪み、試料の寸法、及びクランプ固定長さを指定するものである。
【０１２６】
この方法に関して報告される分離シートの特性は、％残留歪みである。
【０１２７】
トップシート有効孔サイズ及び百分率開口面積の測定試験方法：
有効孔サイズ及び百分率開口面積は、以下で説明される画像解析システムを使用して、以下の手順によって判定される。この手順は、３つの主要工程である、画像取得、すなわち、トップシートの表面上の諸区域の代表的画像を得る工程と、画像測定、すなわち、画像の百分率開口面積、並びに個別の孔及びそれらの外周を測定する工程と、データ解析、すなわち、度数分布、面積の合計の分布、及び動水半径の計算が実施されるスプレッドシートに、百分率開口面積、個別の孔の面積、及び外周の測定値をエクスポートする工程とを有する。
【０１２８】
フレーム取り込みボード、顕微鏡、カメラ、及び画像解析ソフトウェアを有する、画像解析システムを利用する。Ｄａｔａ  Ｔｒａｎｓｌａｔｉｏｎ（Ｍａｒｌｂｏｒｏ，Ｍａｓｓａｃｈｕｓｅｔｔｓ）より入手可能な、モデルＤＴ２８５５のフレーム取り込みボードが提供される。Ｋｅｙｅｎｃｅ  Ｃｏｍｐａｎｙ（Ｆａｉｒ  Ｌａｗｎ，Ｎｅｗ  Ｊｅｒｓｅｙ）より入手可能な、接触型照明ヘッドを備えたＶＨ５０レンズを有する、ＶＨ５９００モニター顕微鏡、ビデオカメラもまた提供され、コンピュータファイルに保存される画像を取得するために使用される。Ｋｅｙｅｎｃｅの顕微鏡が画像を取得し、フレーム取り込みボードが、この画像のアナログ信号を、コンピュータ読み取り可能なデジタル形式に変換する。その画像をコンピュータファイルに保存して、ＢｉｏＳｃａｎ  Ｃｏｍｐａｎｙ（Ｅｄｍｏｎｄｓ，Ｗａｓｈｉｎｇｔｏｎ）より入手可能な、Ｏｐｔｉｍａｓ  Ｉｍａｇｅ  Ａｎａｌｙｓｉｓソフトウェア、バージョン３．１などの、好適なソフトウェアを使用して測定する。Ｏｐｔｉｍａｓ  Ｉｍａｇｅ  Ａｎａｌｙｓｉｓソフトウェアを使用するためには、コンピュータは、Ｍｉｃｒｏｓｏｆｔ  Ｃｏｒｐｏｒａｔｉｏｎ（Ｒｅｄｍｏｎｄ，Ｗａｓｈｉｎｇｔｏｎ）より入手可能な、Ｗｉｎｄｏｗｓ（登録商標）ソフトウェア、バージョン３．０以降を有するべきであり、また、Ｉｎｔｅｌ  ８０３８６と少なくとも同等のＣＰＵも有するべきである。任意の好適なデスクトップＰＣを使用することができるが、４８６  ＤＸ３３型ＰＣが特に好適であることが見出されている。ファイルに保存され、ファイルから呼び出される画像は、約５０Ｘの最終表示倍率で、Ｓｏｎｙ  Ｔｒｉｎｉｔｒｏｎモニター、モデルＰＶＭ−１３４３ＭＯ上に表示するものとした。
【０１２９】
上述の画像取得工程は、特定のタイプのおむつの代表的なトップシートサンプルからの、又は試験されるサンプル材料からの、１０個の異なる領域を必要とする。各領域は、測定値が約５．８ミリメートル×４．２ミリメートルの矩形である。孔と、孔を画定するサンプルの部分とのコントラストを高めるために、黒色の艶消しボード上にサンプルを配置する。この黒色の艶消しボードの平均グレーレベル及び標準偏差は、それぞれ、１６及び４とした。
【０１３０】
画像は、サンプルの直上のコピースタンド上に取り付けた、Ｋｅｙｅｎｃｅモニター顕微鏡を使用して、室内灯を消した状態で取得する。サンプルを照明するＫｅｙｅｎｃｅの光源は、Ｅａｓｔｍａｎ  Ｋｏｄａｋ  Ｃｏｍｐａｎｙ（Ｒｏｃｈｅｓｔｅｒ，Ｎｅｗ  Ｙｏｒｋ）より入手可能なＫｏｄａｋ  Ｇｒａｙ  Ｓｃａｌｅ上で、０．３の濃度ウェッジの平均グレーレベル及び標準偏差が測定されるように、Ｏｐｔｉｍａｓソフトウェアで調節及び監視する。Ｋｅｙｅｎｃｅの光源の制御は、照明されるウェッジの平均グレーレベルが１１１±１であり、標準偏差が１０±１であるように調節する。全ての画像は、単一の期間中に取得するものとし、Ｋｅｙｅｎｃｅの光源は、その画像取得プロセスの全体を通して、ウェッジの平均グレーレベル及び標準偏差を測定することによって監視する。
【０１３１】
個別の孔を測定する際には、有効孔サイズのみが関心対象である。有効孔サイズを測定することにより、トップシートの多孔性に寄与することが意図される孔サイズが定量化され、孔であることが意図された区域を横断する、繊維及び繊維束の寄与度が説明される。有効孔は、本明細書で説明されるような画像取得パラメータを使用して、１８以下のグレーレベルを有する、トップシートを貫通するあらゆる穴である。それゆえ、意図された孔が、横断繊維によって、複数の有効孔に分割される場合がある。
【０１３２】
画像解析ソフトウェアを、サンプル画像から取得される定規画像によって、ミリメートル単位で較正する。Ｏｐｔｉｍａｓ  ３．１の画像メニュー内に見出される３×３ピクセル平均化フィルタを、各保存画像に適用することにより、ノイズを低減する。孔は、０〜１８のグレーレベル範囲内で検出される。５．８×４．２の表示区域の範囲内に完全には収まらない孔は、個別の面積及び外周の測定の際には考慮されない。それゆえ、面積及び外周の平均並びに分布は、視野の範囲内に全体が収まらない孔によって影響を受けることがない。
【０１３３】
しかしながら、画像内で完全には見ることができない個別の孔は、百分率開口面積の計算には含まれる。この相違が生じる原因は、百分率開口面積は単に、画像内の総ピクセル数に対する０〜１８の画像のピクセル比であるためである。１９以上のグレーレベルを有する区域は、開口面積の計算では計数しないものとした。
【０１３４】
各トップシートに対する１０個の画像の平均に関する百分率開口面積を、Ｏｐｔｉｍａｓ  Ｉｍａｇｅ  Ａｎａｌｙｓｉｓソフトウェアを使用して測定する。百分率開口面積は、その画像に関する、総ピクセル数に対する０〜１８のグレーレベルを有するピクセルの数の比率として、定義される。トップシートサンプルからの１つの特定領域を表す各画像に関して、百分率開口面積を測定する。次いで、１０個の個別画像のそれぞれからの百分率開口面積を平均して、サンプル全体に関する百分率開口面積を得る。
【０１３５】
このデータ解析は、Ｍｉｃｒｏｓｏｆｔ  Ｃｏｒｐｏｒａｔｉｏｎ（Ｒｅｄｍｏｎｄ，Ｗａｓｈｉｎｇｔｏｎ）より同じく入手可能な、Ｅｘｃｅｌスプレッドシートによって遂行される。Ｅｘｃｅｌスプレッドシートにより、Ｏｐｔｉｍａｓソフトウェアから得た百分率開口面積、孔の面積、及び孔の外周の測定値を組織化した。サンプルの平均及び標準偏差、個別の孔の面積のサイズ及び度数分布、並びに個別の孔に関する動水半径の計算（外周で除算した面積）を、このスプレッドシートを使用して得る。
【０１３６】
個別の孔の面積の分布もまた、Ｅｘｃｅｌスプレッドシートを使用して計算する。これらの孔は、特定のサイズ範囲のビンに分類される。関心対象の特定のサイズ範囲内に収まる孔の面積の数、並びに各範囲内の面積の合計を判定する。それらの範囲は、０．０５平方ミリメートルのきざみ幅で設定される。これらの面積は、サンプルの総開口面積の百分率として表される。各サンプルに関する１０個全ての画像からの、個別の孔の測定値を組み合わせることによって、度数分布及び面積の合計の分布を得る。
【実施例】
【０１３７】
横断方向分離シートを備える４つの異なるおむつを調製する。４つのおむつのそれぞれは、横断方向分離シートが取り付けられる、２０１２年６月に独国で市販の、Ｐａｍｐｅｒｓ  Ａｃｔｉｖｅ  Ｆｉｔ（商標）サイズ４おむつである。４つのおむつのそれぞれは、分離シートの上縁部部分が、加圧結合によって、おむつの弾性カフのクロッチ領域に取り付けられる、第１及び第２のカフ取り付け区域を備える。４つのおむつのそれぞれはまた、分離シートの底縁部部分が、加圧結合によって、おむつのトップシートに取り付けられる、１つの中央トップシート取り付け区域、及び２つの側方トップシート取り付け区域も備える。４つのおむつのそれぞれは、４８８ｍｍの長手方向寸法を有する。
【０１３８】
第１及び第２のカフ取り付け区域は、おむつの平坦状態で、１５ｍｍの長手方向寸法及び１３ｍｍの横方向寸法を有する、矩形形状を有し、第１及び第２のカフ取り付け区域のそれぞれの内縁部が、おむつの長手方向中心線Ｙに平行に方向付けられており、おむつの長手方向中心線Ｙにおける互いの鏡像である。中央及び２つの側方トップシート取り付け区域は、おむつの横方向中心線Ｘに平行に方向付けられた、矩形形状を有する。中央及び２つの側方トップシート取り付け区域のそれぞれは、６ｍｍの長手方向寸法及び２０ｍｍの横方向寸法を有し、２つの隣り合うトップシート取り付け区域間の７．５ｍｍの横方向寸法で、離間配置されている。
【０１３９】
４つのおむつのそれぞれは、以降で説明するような、異なる分離シート材料で作製される。分離シート材料のそれぞれは矩形であり、弛緩した収縮状態で平らな水平面上に平坦に広げて配置される場合に、８５ｍｍの長手方向寸法及び１００ｍｍの横断方向寸法を有するものであり、その分離シート材料が横断方向で延伸可能となるように方向付けられる。
【０１４０】
（実施例１〜３）
実施例１、２、及び実施例３のおむつの横断方向分離シートは、表１に示す、活性化三重積層分離シート材料で作製される。
【０１４１】
表１に示す、この活性化三重積層分離シート材料は、押し出し二重積層体（ＥＢＬ、ＮＷ１／Ａ１／Ｂ１／Ａ２）の、第２の不織布（ＮＷ２）への接着剤積層によって作製され、伸張を解除するための活性化が続く。
【０１４２】
本発明で有用なＥＢＬは、米国特許第８，１６８，８５３号（Ａｕｔｒａｎ等）に開示され、Ｃｌｏｐａｙ  Ｐｌａｓｔｉｃ  Ｐｒｏｄｕｃｔ（Ｍａｓｏｎ，Ｏｈｉｏ）によって作製されている。ＥＢＬは、制御された温度条件及び圧力条件下の２つの圧縮ロールのニップで、１つの不織布（ＮＷ１）を、新たに押し出されて引き伸ばされた多層フィルム（Ａ１／Ｂ１／Ａ２）上に、互いに密着するように引き込み、押し出された多層フィルム（Ａ１／Ｂ１／Ａ２）の結合層（Ａ１）と不織布（ＮＷ１）の繊維との間に、結合部を形成することによって作製される。
【０１４３】
ＥＢＬは、第１の不織布（ＮＷ１）と、結合層（Ａ１）、内側層（Ｂ１）、及び表面薄層（Ａ２）を含む１５ｇｓｍの多層フィルムとを含む。実施例１及び実施例２に関するフィルム内側層（Ｂ１）の組成は、９２％のＶｉｓｔａｍａｘｘ  ６１０２、１％のＡｍｐａｃｅｔ  １０５６２（加工助剤）、及び７％のＡｍｐａｃｅｔ  １１０３６１（７０％のＴｉＯ２を有する白色マスターバッチ）の重量％ブレンドである。実施例３のＥＢＬのフィルム内側層（Ｂ１）の組成は、８７％のＶｉｓｔａｍａｘｘ  ６１０２、５％のＩｎｓｐｉｒｅ  Ｄｏｗ  １１８ＰＰ、１％のＡｍｐａｃｅｔ  １０５６２、及び７％のＡｍｐａｃｅｔ  １１０３６１の重量％ブレンドである。Ａ１の組成は、組成的にＡ２と同一であり、２４％のＩｎｆｕｓｅ  ９１０７、７５％のＥｌｉｔｅ  ５８００、及び１％のＡｍｐａｃｅｔ  １０５６２の重量％ブレンドである。
【０１４４】
実施例１、２、及び実施例３のＥＢＬ内で使用される第１の不織布（ＮＷ１）は、Ｐｅｇａｓ  Ｎｏｎｗｏｖｅｎｓ（Ｃｚｅｃｈ  Ｒｅｐｕｂｌｉｃ）による、１５ｇｓｍのスパンボンド２成分ＰＰ／ＰＥ（５０／５０の、コア／シース）不織布である。実施例１及び実施例２のＥＢＬに接着積層される、第２の不織布（ＮＷ２）は、Ｆｉｂｅｒｗｅｂ（Ｗａｓｈｏｕｇａｌ，ＷＡ）による、２０ｇｓｍのスパンボンド２成分ＰＰ／ＰＥ（７０／３０の、コア／シース）不織布であるが、実施例３では、第２の不織布（ＮＷ２）は、第１の不織布（ＮＷ１）と同じ不織布、すなわち、Ｐｅｇａｓ  Ｎｏｎｗｏｖｅｎｓ（Ｃｚｅｃｈ  Ｒｅｐｕｂｌｉｃ）による、１５ｇｓｍのスパンボンド２成分ＰＰ／ＰＥ（５０／５０の、コア／シース）不織布で作製される。Ｖｉｓｔａｍａｘｘ  ６１０２樹脂は、ＥｘｘｏｎＭｏｂｉｌ  Ｃｈｅｍｉｃａｌ  Ｃｏｍｐａｎｙ（Ｈｏｕｓｔｏｎ，Ｔｅｘａｓ）より入手可能である。Ａｍｐａｃｅｔ  １０５６２及び１１０３６１は、Ａｍｐａｃｅｔ  Ｃｏｒｐｏｒａｔｉｏｎ（Ｃｉｎｃｉｎｎａｔｉ，Ｏｈｉｏ）より入手可能である。Ｅｌｉｔｅ  ５８００  ＰＥ及びＩｎｆｕｓｅ  ９１０７樹脂は、Ｄｏｗ  Ｃｈｅｍｉｃａｌ  Ｃｏｍｐａｎｙ（Ｍｉｄｌａｎｄ，Ｍｉｃｈｉｇａｎ）より入手可能である。
【０１４５】
実施例１、２、及び実施例３に関しては、エージングされたＥＢＬのロールは、Ａ２−ＮＷ２境界面に約４．５ｇｓｍのＢｏｓｔｉｋ  Ｈ２８６１接着剤（Ｂｏｓｔｉｋ  Ｉｎｃ．（Ｗａｕｗａｔｏｓａ，Ｗｉｓｃｏｎｓｉｎ）より市販）を添加し、高速接着剤積層プロセスを使用して、第２の不織布（ＮＷ２）と組み合わされることにより、三重積層体が形成される。実施例１及び実施例３に関しては、この積層の後に、リングロール活性化プロセスによる機械的活性化が続く。実施例２に関しては、この積層の後に、高速リサーチプレス（ＨＳＲＰ）活性化による機械的活性化が続く。積層及び活性化の詳細を、表１に示す。
【０１４６】
ＨＳＲＰ活性化プロセスは、米国特許第７，０６２，９８３号及び同第６，８４３，１３４号で説明されている。ＨＳＲＰ活性化プロセスとは、三重積層体の部分を選択的に伸張させるための、噛み合い歯を有するアルミニウムプレートの使用を指し、それにより、不織布層が破断及び／又は伸長して、弾性の多層フィルムは、それらの不織布層によって必要以上に妨害されることなく、伸縮することが可能となる。ＨＳＲＰ活性化のために使用される活性化プレートは、０．１ｍｍの先端半径、０．５ｍｍの根元半径、及び１０．１５ｍｍの歯の高さを有する、噛み合い歯を有する。
【０１４７】
【表１】
2016504169.tif 000003
１．ＮＷ＝１＝１５ｇｓｍ（５０／５０のコア／シース、ＰＰ／ＰＥ）２成分スパンボンド、Ｐｅｇａｓ  Ｎｏｎｗｏｖｅｎｓ（Ｃｚｅｃｈ  Ｒｅｐｕｂｌｉｃ）で製造。
２．ＮＷ＝２＝２０ｇｓｍ（７０／３０のコア／シース、ＰＰ／ＰＥ）２成分スパンボンド、Ｆｉｂｅｒｗｅｂ（Ｗａｓｈｏｕｇａｌ，Ｗａｓｈｉｎｇｔｏｎ）で製造。
３．Ｉｎｆｕｓｅ／ＰＥブレンド＝重量％でＩｎｆｕｓｅ  ９１０７（２４％）、Ｅｌｉｔｅ  ５８００  ＰＥ（７５％）、Ａｍｐａｃｅｔ  １０５６２（１％）。
４．ＶＭブレンド−１＝重量％でＶｉｓｔａｍａｘｘ  ６１０２（９２％）、Ａｍｐａｃｅｔ  １０５６２（１％）、Ａｍｐａｃｅｔ  １１０３６１（７％）。
５．ＶＭブレンド−２＝重量％でＶｉｓｔａｍａｘｘ  ６１０２（８７％）、Ｄｏｗ  １１８  ＰＰ（５％）、Ａｍｐａｃｅｔ  １０５６２（１％）、Ａｍｐａｃｅｔ  １１０３６１（７％）。
【０１４８】
（実施例４）
実施例４のおむつの横断方向分離シートは、２０１２年６月に独国で市販の、Ｐａｍｐｅｒｓ  Ａｃｔｉｖｅ  Ｆｉｔ（商標）おむつの後側耳部材料で作製される。
【０１４９】
本明細書で開示される寸法及び値は、記載された正確な数値に厳密に限定されるものとして理解されるべきではない。むしろ、特に指定のない限り、そのような各寸法は、記載された値、及びその値の周辺の機能的に等価な範囲の双方を意味するものとする。例えば、「４０ｍｍ」として開示される寸法は、「約４０ｍｍ」を意味するものとする。
【０１５０】
相互参照されるか若しくは関連付けられる、あらゆる特許又は出願を含めた、本明細書に引用される全ての文書は、明示的に排除されるか又は他の方式で制限されない限り、その全体が参照により本明細書に組み込まれる。いかなる文書の引用も、その文書が本明細書で開示又は特許請求されるいずれかの発明に対する先行技術であること、あるいは、その文書が単独で、又は任意の他の参照文献との組み合わせで、いずれかのそのような発明を教示するか、示唆するか、若しくは開示することを認めるものではない。更には、本文書での用語のいずれかの意味又は定義が、参照により組み込まれる文書での、同じ用語のいずれかの意味又は定義と矛盾する限りにおいて、本文書でその用語に指定された意味又は定義が、適用されるものとする。
【０１５１】
本発明の特定の実施形態が例示され、説明されているが、当業者には、本発明の趣旨及び範囲から逸脱することなく、様々な他の変更及び修正を実施することができる点が明白であろう。それゆえ、本発明の範囲内である全てのそのような変更及び修正を、添付の特許請求の範囲で包含するものとする。
【図１】
2016504169.tif 000004
【図２】
2016504169.tif 000005
【図３】
2016504169.tif 000006
【図４】
2016504169.tif 000007
【図５】
2016504169.tif 000008
【図６】
2016504169.tif 000009
【図７】
2016504169.tif 000010
【図８】
2016504169.tif 000011
【国際調査報告】
2016504169.tif 000012
2016504169.tif 000013